(57)【要約】【課題】ファンモータを設けたフレームにベルマウスおよびシャッター部を着脱してファンの掃除性を向上できる換気装置を提供することを目的とする。【解決手段】遠心力形ファン１を有したファンモータ部２を設けたフレーム４と、フレーム４のファンの吸込口５に対応するベルマウス６と、シャッター部７と、シャッター部７を覆う形状でフレーム４に装着されるカバー１６とを備え、ベルマウス６とシャッター部７を取付部材８を介して一体に設け、フレーム４に着脱自在とすることにより、ベルマウス６およびシャッター部７がフレーム４より外れ軸流ファン１の掃除が容易にできる換気装置が得られる。【選択図】　図１
2004116897.tif 000002
【特許請求の範囲】
【請求項１】
遠心力形ファンを有したファンモータ部を設けたフレームと、このフレームのほぼ中央部に設けられるファンの吸込口に対応するベルマウスと、空気流路の開閉を行うシャッター部と、このシャッター部を覆う形状で前記フレームに装着されるカバーとを備え、前記ベルマウスとシャッター部を一体に設けて前記フレームに着脱自在に構成した換気装置。
【請求項２】
ベルマウスに形成される取付部材を介して前記ベルマウスとシャッター部を一体に設け、フレームに着脱自在に構成した請求項１記載の換気装置。
【請求項３】
取付部材の側部の一方に引掛け部を設け、他方に前記取付部材をフレームに着脱可能にロックできるロック機構を設け、前記引掛け部を介して前記取付部材が開閉できる構成とした請求項２記載の換気装置。
【請求項４】
ファンモータ部を設けたフレームと、このフレームのほぼ中央部に設けられるファンの吸込口に対応するベルマウスと、このベルマウスを覆う形状で前記フレームに装着されるカバーとを備え、前記ベルマウスに前記フレームに着脱自在な取付部材を形成し、前記取付部材の側部の一方に引掛け部を設け、他方に前記取付部材をフレームに着脱可能にロックできるロック機構を設け、前記引掛け部を介して前記取付部材が開閉できる構成とした換気装置。
【請求項５】
ファンモータ部を設けたフレームと、このフレームのほぼ中央部に設けられるファンの吸込口に対応するベルマウスと、空気流路の開閉を行うシャッター部と、このシャッター部を覆う形状で前記フレームに装着されるカバーとを備え、前記シャッター部に前記フレームに着脱自在な取付部材を形成し、前記取付部材の側部の一方に引掛け部を設け、他方に前記取付部材をフレームに着脱可能にロックできるロック機構を設け、前記引掛け部を介して前記取付部材が開閉できる構成とした換気装置。
【発明の詳細な説明】
【０００１】
【発明の属する技術分野】
本発明は、ベルマウスの必要な遠心力形ファンを有したファンモータ部が壁部に設けた換気口に装着して換気を行う換気装置に関する。
【０００２】
【従来の技術】
従来の換気扇においては壁部に取り付ける取付部を設けたパイプと、パイプ内に装着される形状でファンモータを有し一端にパイプの取付部に結合する結合部を設けた本体と、本体に着脱自在に設けられるルーバーとにより構成している（例えば特許文献１参照）。また、フレームとシャッター部およびグリル部分を分離して形成し、フレームにシャッター部を結合したのち、シャッター部にグリル部を結合している（例えば特許文献２参照）。
【０００３】
【特許文献１】
特開２０００−２７４７６０号公報（［００１３］図１および図２）
【特許文献２】
特許２６１６６１２号公報（［００１３］図１および図２）
【０００４】
【発明が解決しようとする課題】
従来技術の［特許文献１］ではファンモータを設けた換気扇本体を結合部を介して結合されているもので、ファンモータに設けられるファンが軸流ファンに限定されるものでなければ、遠心力ファンを使用したときのようにベルマウスを設けた場合ではファンの着脱ができないという課題があった。
【０００５】
また、［特許文献２］では、シャッター枠を設けたシャッター部は、グリルが装着できるように大形に形成する必要があるとともに、シャッター部と共にファンの中央部に空気を案内するベルマウスを着脱できないという課題があった。
【０００６】
本発明は、上記課題を解決するもので、ファンモータを設けたフレームにベルマウスをおよびシャッターを着脱してファンの掃除性を向上できる換気装置を提供することを目的としている。
【０００７】
【課題を解決するための手段】
前記従来の課題を解決するために、本発明の換気装置は、遠心力形ファンを有したファンモータ部を設けたフレームと、このフレームのほぼ中央部に設けられるファンの吸込口に対応するベルマウスと、空気流路の開閉を行うシャッター部と、このシャッター部を覆う形状で前記フレームに装着されるカバーとを備え、前記ベルマウスとシャッター部を一体に設けて前記フレームに着脱自在に構成したものである。
【０００８】
また、ベルマウスに形成される取付部材を介して前記ベルマウスとシャッター部を一体に設け、フレームに着脱自在に構成したものである。
【０００９】
また、取付部材の側部の一方に引掛け部を設け、他方に前記取付部材をフレームに着脱可能にロックできるロック機構を設け、前記引掛け部を介して前記取付部材が開閉できる構成としたものである。
【００１０】
また、ファンモータ部を設けたフレームと、このフレームのほぼ中央部に設けられるファンの吸込口に対応するベルマウスと、このベルマウスを覆う形状で前記フレームに装着されるカバーとを備え、前記ベルマウスに前記フレームに着脱自在な取付部材を形成し、前記取付部材の側部の一方に引掛け部を設け、他方に前記取付部材をフレームに着脱可能にロックできるロック機構を設け、前記引掛け部を介して前記取付部材が開閉できる構成としたものである。
【００１１】
また、ファンモータ部を設けたフレームと、このフレームのほぼ中央部に設けられるファンの吸込口に対応するベルマウスと、空気流路の開閉を行うシャッター部と、このシャッター部を覆う形状で前記フレームに装着されるカバーとを備え、前記シャッター部に前記フレームに着脱自在な取付部材を形成し、前記取付部材の側部の一方に引掛け部を設け、他方に前記取付部材をフレームに着脱可能にロックできるロック機構を設け、前記引掛け部を介して前記取付部材が開閉できる構成としたものである。
【００１２】
【発明の実施の形態】
請求項１に記載の発明は、遠心力形ファンを有したファンモータ部を設けたフレームと、このフレームのほぼ中央部に設けられるファンの吸込口に対応するベルマウスと、空気流路の開閉を行うシャッター部と、このシャッター部を覆う形状で前記フレームに装着されるカバーとを備え、前記ベルマウスとシャッター部を一体に設けて前記フレームに着脱自在に構成したことにより、遠心力形ファンの中央部に空気を案内するベルマウスと空気流路の開閉を行うシャッター部が同時に着脱され、遠心力形ファンの掃除性を向上することができる。
【００１３】
請求項２に記載の発明は、特に請求項１に記載の換気装置を、ベルマウスに形成される取付部材を介して前記ベルマウスとシャッター部を一体に設け、フレームに着脱自在に構成したことにより、フレームに着脱自在に設けた取付部材を着脱することで遠心力形ファンの中央部に空気を案内するベルマウスと空気流路の開閉を行うシャッター部が同時に着脱され、ファンモータ部に設けた遠心力形ファンを取り外し簡単に掃除を行うことができる。
【００１４】
請求項３に記載の発明は、特に請求項２に記載の換気装置を、取付部材の側部の一方に引掛け部を設け、他方に前記取付部材をフレームに着脱可能にロックできるロック機構を設け、前記引掛け部を介して前記取付部材が開閉できる構成としたことにより、取付部材は開き戸式に設けられることでベルマウスを取り外さなくても遠心力形ファンを取り外して掃除できるとともに、ベルマウスの取り外しを片手で操作することができる。
【００１５】
請求項４に記載の発明は、ベルマウスにフレームに着脱自在な取付部材を形成し、前記取付部材の側部の一方に引掛け部を設け、他方に前記取付部材をフレームに着脱可能にロックできるロック機構を設け、前記引掛け部を介して前記取付部材が開閉できる構成としたことにより、ファンの掃除性の高いシャッター無しの換気装置を部品の共用化を図りつつ容易に得ることができる。
【００１６】
請求項５に記載の発明は、シャッター部にフレームに着脱自在な取付部材を形成し、前記取付部材の側部の一方に引掛け部を設け、他方に前記取付部材をフレームに着脱可能にロックできるロック機構を設け、前記引掛け部を介して前記取付部材が開閉できる構成としたことにより、ファンの掃除性の高いベルマウス無しの換気装置を部品の共用化を図りつつ容易に得ることができる。
【００１７】
（実施の形態１）
図１〜図５に示すように、内部に遠心力形ファン１を有したファンモータ部２を設けた筒部３の前方端部に周辺を枠状に形成したフレーム４を設け、フレーム４のほぼ中央部にファンの吸込口５を設け遠心力形ファン１のファンの吸込口５に対応し、遠心力形ファン１の中央部に空気流を案内するベルマウス６と空気流路に設けられるシャッター部７とをベルマウス６に形成される取付部材８を介して一体に設け、取付部材８の一方に、フレーム４の枠状部に設けた掛部９に引掛けられる引掛け部１０を設け、他方にはフレーム４の枠状部に設けた係合部１１に係合し着脱自在にロックされるロック機構１２を設け、フレーム４の枠状部に設けた舌片１３に係合する係合孔１４を有し、ベルマウス５およびシャッター部７を覆う形状で通風口１５を形成したカバー１６により構成する。
【００１８】
上記構成において、換気装置を設置するときには、壁部に設けた換気口（図示せず）にフレーム４に設けた筒部３を装着して取り付け、フレーム４を壁部に取り付けたのち、ベルマウス６に形成した取付部材８の引掛け部１０をフレーム４の掛部９に引掛け、取付部材８を開閉自在に形成し、取付部材８のロック機構１２をフレーム４の係合部１１に係合して取付部材８をロックしてフレーム４に取り付けたのち、カバー１６に設けた係合孔１４をフレーム４の枠状部に設けた舌片１３に係合しカバー１６をフレーム４に取り付け設置する。
【００１９】
そして、換気装置を運転すると、室内の空気はカバー１６に設けた通風口１５より吸気され、フィルター部７を通る間に空気中のほこりが除去されベルマウス６により遠心力形ファン１の中央部に案内され遠心力形ファン１により屋外に排気されることとなる。
【００２０】
また、遠心力形ファン１を掃除するときには、カバー１６を取り外したのち、ロック機構１２のロックを解除し取付部材８を引掛け部１０を介して開放しベルマウス６をファンの吸込口５より取り除いたのち、遠心力形ファン１を取り外し掃除する。
【００２１】
このように本発明の実施の形態１の換気装置によれば遠心力形ファン１を有したファンモータ部２を設けたフレーム４と、フレーム４のほぼ中央部に設けられるファンの吸込口５に対応するベルマウス６と、空気流路の開閉を行うシャッター部７と、シャッター部７を覆う形状でフレーム４に装着されるカバー１６とを備え、ベルマウス６とシャッター部７をベルマウス６に形成される取付部材８を介して一体に設け、フレーム４に着脱自在に構成したので、取付部材８をロック機構１２を解除して取付部材８を介してベルマウス６がファン吸込口５より外されシャッター部７とともに取付部材８が開放されることとなり遠心力形ファン１を取り外して容易に遠心力形ファン１の掃除を行うことができ、遠心力形ファン１の掃除のために、ユーザーが取り外す部品点数が消滅され、部品の紛失を緩和できる。
【００２２】
また、取付部材８の側部に一方に引掛け部１０を設け、他方に取付部材８をフレーム４に着脱可能にロックできるロック機構を設け、引掛け部１０を介して取付部材８が開閉できる構成としたので、ベルマウス６とシャッター部７を設けた取付部材８が開き戸式となり取付部材８をフレーム４より取り外さなくても遠心力形ファン１を取り外し掃除できることとなり掃除性が高まるとともに、取付部材を取り外さなくても良いので部材が紛失することも無くなる。また、ロック機構１２のロックを解除しても取付部材８は引掛け部１０より支持されているので、落下することがなく、片手操作により着脱することができる。
【００２３】
（実施の形態２）
図６および図７に示すように、ベルマウス６Ａとシャッター部７Ａを分離しベルマウス６Ａのみに取付部材８Ａを形成し、取付部材８Ａに設けた引掛け部１０Ａをフレーム４Ａに掛けて取付部材８Ａを介してベルマウス６Ａをフレーム４Ａに取り付ける構成とする。
【００２４】
また、図８および図９に示すように、軸流形ファンの前方に設けたシャッター部７Ａのみに取付部材８Ｂを形成し、取付部材８Ｂを設けた引掛け部１０Ａをフレーム４Ａに掛けて取付部材８Ｂを介してベルマウス６Ａをフレーム４Ａに取り付ける構成とする。
【００２５】
上記構成において、ベルマウス６Ａのみに形成される取付部材８Ａをフレーム４Ａに着脱自在に取り付けた場合には、シャッター部７Ａの無い換気装置を得ることができ、シャッター部７Ａのみに形成される取付部材８Ｂをフレーム４Ａに着脱自在に取り付けた場合には、ベルマウス６Ａの無い換気装置を得ることができる。
【００２６】
このように本発明の実施の形態２の換気装置によれば、ベルマウス６Ａとシャッター部７Ａを分離してベルマウス６Ａまたはシャッター部７Ａに形成される取付部材８Ａまたは８Ｂを介してフレーム４Ａに単独に取り付ける構成としたのでシャッター無し、またはベルマウス無しの換気装置を容易に得ることができるとともに、部品の共有化を図ることができる。
【００２７】
【発明の効果】
以上の実施例から明らかなように、本発明の換気装置によれば、遠心力形ファンを有したファンモータ部を設けたフレームと、このフレームのほぼ中央部に設けられるファンの吸込口に対応するベルマウスと、空気流路の開閉を行うシャッター部と、このシャッター部を覆う形状で前記フレームに装着されるカバーとを備え、前記ベルマウスとシャッター部を一体に設けて前記フレームに着脱自在に構成したので、遠心力形ファンの掃除性を向上することができる。
【００２８】
また、ベルマウスに形成される取付部材を介して前記ベルマウスとシャッター部を一体に設け、フレームに着脱自在に構成したので、フレームに着脱自在に設けた取付部材を着脱することでファンモータ部に設けた遠心力形ファンを取り外し簡単に掃除を行うことができる。
【００２９】
また、取付部材の側部の一方に引掛け部を設け、他方に前記取付部材をフレームに着脱可能にロックできるロック機構を設け、前記引掛け部を介して前記取付部材が開閉できる構成としたので、ベルマウスを取り外さなくても遠心力形ファンを取り外して掃除できるとともに、ベルマウスの取り外しを片手で操作することができる。
【００３０】
また、ベルマウスにフレームに着脱自在な取付部材を形成し、前記取付部材の側部の一方に引掛け部を設け、他方に前記取付部材をフレームに着脱可能にロックできるロック機構を設け、前記引掛け部を介して前記取付部材が開閉できる構成としたので、ファンの掃除性の高いシャッター無しの換気装置を部品の共用化を図りつつ容易に得ることができる。
【００３１】
また、シャッター部にフレームに着脱自在な取付部材を形成し、前記取付部材の側部の一方に引掛け部を設け、他方に前記取付部材をフレームに着脱可能にロックできるロック機構を設け、前記引掛け部を介して前記取付部材が開閉できる構成としたので、ファンの掃除性の高いベルマウス無しの換気装置を部品の共用化を図りつつ容易に得ることができる。
【図面の簡単な説明】
【図１】本発明の実施の形態１の換気装置の分解斜視図
【図２】同換気装置のカバーを外した状態の斜視図
【図３】同換気装置のカバーを外した状態の断面図
【図４】同換気装置の引掛けヒンジ部分の拡大断面図
【図５】同換気装置のロック機構部分の拡大断面図
【図６】本発明の実施の形態２の換気装置のベルマウスを設けた状態を示す斜視図
【図７】同換気装置のベルマウスを開放した状態の斜視図
【図８】同換気装置のシャッター部を設けた状態を示す斜視図
【図９】同換気装置のシャッター部を開放した状態を示す斜視図
【符号の説明】
１　遠心力形ファン
２　ファンモータ部
４　フレーム
４Ａ　フレーム
５　ファンの吸込口
６　ベルマウス
６Ａ　ベルマウス
７　シャッター部
７Ａ　シャッター部
８　取付部材
８Ａ　取付部材
８Ｂ　取付部材
１０　引掛けヒンジ
１２　ロック機構
１６　カバー
【図１】
2004116897.tif 000003
【図２】
2004116897.tif 000004
【図３】
2004116897.tif 000005
【図４】
2004116897.tif 000006
【図５】
2004116897.tif 000007
【図６】
2004116897.tif 000008
【図７】
2004116897.tif 000009
【図８】
2004116897.tif 000010
【図９】
2004116897.tif 000011